(57)【要約】      （修正有）【課題】歯間の清掃性を維持、向上させつつ、適切に操作可能な歯間清掃具を提供すること。【解決手段】歯間清掃具であって、軸部（２０）が設けられた基部と、清掃部（４０）とを備える。清掃部（４０）は、軸部（２０）の外周面を被覆する清掃部本体（５０）を有し、清掃部本体（５０）は、中心軸を中心とする螺旋状の溝部（５１）が設けられている。【選択図】図２
2019188013.tif 000002
【特許請求の範囲】
【請求項１】
特定方向に延びるとともに歯間に挿通されることが可能な形状を有する軸部が設けられた基部と、
前記基部の硬度よりも低い硬度を有する素材からなり、前記軸部の少なくとも一部を被覆するとともに歯間を清掃可能な清掃部と、を備え、
前記清掃部は、前記軸部の外周面を被覆する清掃部本体を有し、
前記清掃部本体は、前記特定方向を中心軸とする螺旋状の溝部が設けられている、歯間清掃具。
【請求項２】
請求項１に記載の歯間清掃具において、
前記溝部の側壁面は、前記中心軸を含む軸断面において、前記中心軸に対して垂直に起立している、歯間清掃具。
【請求項３】
請求項１又は請求項２に記載の歯間清掃具において、
前記溝部の溝底部は、前記軸部の周面によって構成されている、歯間清掃具。
【請求項４】
請求項１ないし請求項３のいずれかに記載の歯間清掃具において、
前記清掃部は、前記清掃部本体の前記溝部以外の部分に接続され、当該部分から外方に突出する複数のブラシ部を更に有する、歯間清掃具。
【請求項５】
請求項４に記載の歯間清掃具において、
前記ブラシ部は、前記溝部に沿って螺旋状に一列に配列されている、歯間清掃具。
【請求項６】
請求項１ないし請求項５のいずれかに記載の歯間清掃具において、
前記素材は、エラストマーと強化材とを含む複合材料からなる、歯間清掃具。
【請求項７】
請求項１ないし請求項６のいずれかに記載の歯間清掃具において、
前記清掃部本体の外形は、先端側から基端側に向けて前記中心軸に対し外方に拡大するテーパー状に形成されている、歯間清掃具。
【発明の詳細な説明】
【技術分野】
【０００１】
本発明は、歯間清掃具に関する。
【背景技術】
【０００２】
従来、歯間を清掃するための歯間清掃具が知られている。例えば、特許文献１には、特定方向に延びる形状を有する基材部と、エラストマーからなり歯間を清掃可能な軟質部と、を備える歯間清掃具が開示されている。基材部は、歯間に挿通されることが可能でかつ直線状に延びる形状を有する芯基材部と、指で把持されることが可能な形状を有するハンドル基材部と、を有している。軟質部は、芯基材部の外周面の先端部分を所定の長さに亘って被覆する被覆部と、被覆部に接続された複数の突起部と、を有している。被覆部は、ハンドル基材部側に向かって徐々に拡径する細長い円錐状に形成されている。
【先行技術文献】
【特許文献】
【０００３】
【特許文献１】国際公開第２０１３／１７６２９７号
【発明の概要】
【発明が解決しようとする課題】
【０００４】
特許文献１に記載されるような歯間清掃具では、歯間の清掃性（掻き取り性）を向上しつつ、その操作性を高めたいというニーズがある。
【０００５】
特に、歯間が比較的狭い場合には、被覆部をその全長に亘って歯間に挿し入れることができないことがある。このような場合、歯間清掃具の操作性の点で改良の余地があった。すなわち、歯間が比較的狭い場合には、歯間清掃具の軸方向に沿った挿抜にあたっての力加減が難しく、力を入れすぎると先端部が破損することがある一方、力を抜くと十分な清掃性を担保することができず、歯間の清掃性を維持、向上させつつ、適切に操作することが困難な場合がある。
【０００６】
本発明の目的は、歯間の清掃性を維持、向上させつつ、適切に操作可能な歯間清掃具を提供することである。
【課題を解決するための手段】
【０００７】
前記課題を解決するために鋭意検討した結果、本発明者らは、従来の歯間清掃具では、専ら軸方向に沿って直線的に操作することにより歯間の清掃を行っていたことに着目し、例えば歯間が比較的狭く、清掃部本体が全長に亘って抜き差しできない場合など、歯間清掃具の操作に伴い引っ掛かりが生じる場合に、操作力が直接的に歯間清掃具に作用することで破損等の不具合が生じることを見出した。そして、歯間清掃具が歯間において引っ掛かりが生じるような場合には、歯間清掃具を軸方向に直線操作するのではなく、歯間清掃具を回転操作することにより、上記課題を解決可能であることに想到した。
【０００８】
本発明は、このような観点からなされたものである。具体的に、本発明は、特定方向に延びるとともに歯間に挿通されることが可能な形状を有する軸部が設けられた基部と、前記基部の硬度よりも低い硬度を有する素材からなり、前記軸部の少なくとも一部を被覆するとともに歯間を清掃可能な清掃部と、を備え、前記清掃部は、前記軸部の外周面を被覆する清掃部本体を有し、前記清掃部本体は、前記特定方向を中心軸とする螺旋状の溝部が設けられている、歯間清掃具を提供する。
【０００９】
本歯間清掃具では、清掃部本体は、前記特定方向を中心軸とする螺旋状の溝部が設けられているので、歯間清掃具が歯間において引っ掛かりを生じるような場合には、基部を回転操作することにより適度な操作力で歯間にねじ込むことができる。しかも、この清掃部本体は、前記基部の硬度よりも低い硬度を有する素材からなるので、清掃部本体に過度な推力が作用した場合には、前記溝部間の清掃部本体が撓んで空転することになるため、不測の操作力による破損などの不具合を効果的に抑制することができる。加えて、この空転に伴い、前記溝部に歯垢や食べ滓などを掻き取って、前記螺旋状の溝部の搬送作用によって歯間外に排出することができる。更に、当該溝部に歯垢などを捕捉することができ、これにより清掃部を歯間から抜いた後に歯垢や食べ滓などが口腔内に残ることを抑制することができる。つまり、本歯間清掃具では、歯間の清掃性を維持、向上させつつ、適切に操作することができる。
【００１０】
また、前記歯間清掃具において、前記溝部の具体的形状については特に限定するものではなく、例えば溝部の側壁面が、前記中心軸を含む軸断面において、前記中心軸に対して溝底に向かって溝幅方向の内側または外側に傾斜するもの等であっても良いが、前記溝部の側壁面は、前記中心軸を含む軸断面において、前記中心軸に対して垂直に起立しているのが好ましい。なお、ここでいう「垂直」には、厳密な垂直だけでなく、略垂直も含まれる概念であり、７５°から１０５°の範囲、好ましくは８０°から１００°の範囲を含む概念である。
【００１１】
このようにすれば、前記歯間清掃具を回転操作する場合に、前記空転に伴う溝部の搬送作用による歯垢などの掻き出し効果が向上する。しかも、前記歯間清掃具を前記特定方向に沿って直線的に操作する場合でも、前記中心軸に対して垂直に起立した側壁面によって歯垢などを効果的に掻き出すことができる。つまり、前記歯間清掃具の操作の仕方に拘わらず、歯間の清掃性を向上させることができる。
【００１２】
前記歯間清掃具において、前記溝部の溝底部の具体的構成についても特に限定するものではなく、例えば前記清掃具本体の一部として溝底部が形成されているものであってもよいが、前記溝部の溝底部は、前記軸部の周面によって構成されているのが好ましい。
【００１３】
このようにすれば、前記溝部を可及的に深く形成することができ、これにより清掃性だけでなく、前記溝部における歯垢などの捕捉性をも向上させることができる。しかも、前記溝部の間と、前記溝部の溝底部とで素材が異なるので、前記歯間清掃具の直線操作または回転操作に伴い、歯茎に対するマッサージ効果が向上する。なお、清掃部本体が熱可塑性合成樹脂などからなる場合に、製造工程において、清掃部本体を射出成形などによって軸部に二次加工を施す場合には、金型が前記溝部の溝底部に沿って当接するため、樹脂の流入に伴って軸部のブレを確実に抑制することができ、清掃部本体の肉厚をより一定に形成することができるという点で有利である。
【００１４】
前記歯間清掃具において、前記清掃部の具体的構成については特に限定するものではなく、前記清掃部本体の外周面で歯垢などを掻き出すものであっても良いが、前記清掃部は、前記清掃部本体の前記溝部以外の部分に接続され、当該部分から外方に突出する複数のブラシ部を更に有するのが好ましい。
【００１５】
このようにすれば、前記清掃部は前記清掃部本体に加え、複数のブラシ部を有するので、前記歯間清掃具の直線操作または回転操作に伴い、歯間の清掃性を向上させることができる。また、これらのブラシ部が前記清掃部本体の前記溝部以外の部分に接続され、前記清掃部本体から外方に突出するので、これらのブラシ部が前記溝部に接続されている場合と比べて、これらのブラシ部が歯間の隅々まで届いて清掃性を向上させることができる。しかも、これらのブラシ部が前記清掃部本体の前記溝部以外の部分に接続されているので、前記歯間清掃具の回転操作に伴い、前記ブラシ部が歯間の歯垢などを掻き落とし、この掻き落とされた歯垢などが、前記溝部に効果的に捕捉できるとともに、前記溝部による搬送作用によって、歯間外に効率的に排出することができる。
【００１６】
この場合において、前記清掃部本体に対する前記ブラシ部の配置態様について特に限定するものではないが、前記ブラシ部は、前記溝部に沿って螺旋状に一列に配列されているのが好ましい。
【００１７】
このようにすれば、前記歯間清掃具の回転操作に伴って前記ブラシ部によって掻き落とされた歯垢などを前記溝部に捕捉し易くなり、前記溝部に捕捉された歯垢などをより効果的に排出することができる。しかも、前記複数のブラシ部が前記溝部に沿って螺旋状に一列に配列されているので、前記溝部が螺旋状に形成されていることを外観から一瞥し易くなり、前記溝部の搬送作用を直感的に使用者に訴えることができる。
【００１８】
また、前記歯間清掃具では、前記素材は前記基部の硬度よりも低い硬度を有するものであれば、エラストマー、発泡軟質合成樹脂などを単一または複数を組み合わせて用いることができるが、前記素材は、エラストマーと強化材とを含む複合材料からなるのが好ましい。
【００１９】
このようにすれば、前記清掃部がエラストマーのみからなる場合に比べて剛性が高まるので、前記溝部の搬送作用による掻き出し効果を高めることができる。特に、清掃部に前記複数のブラシ部を含む場合には、各ブラシ部の剛性が高まるので、歯の側面を有効に清掃することができる。
【００２０】
さらに、前記歯間清掃具では、前記清掃部本体の外形を具体的に限定するものではなく、例えば寸胴型、ひょうたん型、鼓型の各外形を呈するものであっても良いが、前記清掃部本体の外形は、先端側から基端側に向けて前記中心軸に対し外方に拡大するテーパー状に形成されているのが好ましい。
【００２１】
このようにすれば、前記清掃部本体の先端は先細り状になるため、歯間への挿入性が向上する。また、前記歯間清掃具が歯間において引っ掛かりを生じる位置まで特定方向に沿って直線的に操作して、この引っ掛かりが生じた位置で前記歯間清掃具を回転操作することができる。これにより、例えば歯間の広狭に応じた適切な断面で回転操作によるねじ込み、及び空転に伴う搬送作用を発揮させることができる。つまり、前記歯間清掃具を適切な位置で直線操作から回転操作に切り換えることにより、操作性が向上するとともに、歯間における清掃性も向上させることができる。
【発明の効果】
【００２２】
以上のように、本発明によれば、清掃部本体に螺旋状の溝部を設けることにより、歯間の清掃性を維持、向上させつつ、適切に操作可能な歯間清掃具を提供することができる。
【図面の簡単な説明】
【００２３】
【図１】本発明の一実施形態の歯間清掃具を示す正面図である。
【図２】同歯間清掃具の先端部を拡大して示す斜視図である。
【図３】図１のＩＩＩ−ＩＩＩ線縦断面図である。
【図４】溝部を拡大して示す縦断面図である。
【図５】図１のＶ−Ｖ線横断面図である。
【図６】他の実施形態の歯間清掃具における図４に対応する拡大縦断面図である。
【図７】さらに他の実施形態の歯間清掃具における図５に対応する拡大断面図である。
【発明を実施するための形態】
【００２４】
本発明の一実施形態の歯間清掃具１について、図１〜図５を参照しながら説明する。図１は、歯間清掃具１を正面から示している。
【００２５】
各歯間清掃具１は、合成樹脂からなる基部１０と、基部１０に連設されるとともに合成樹脂の硬度よりも低い硬度を有する素材からなる清掃部４０と、を有する。
【００２６】
基部１０は、軸部２０と、把持部３０と、を有する。この基部１０は、ポリプロピレン、ポリエチレン、ＡＢＳ、ポリブチレンテレフタレート、ポリカーボネート、ポリエチレンテレフタレート、ポリスチレン、ポリアセタール、ポリアミド等の合成樹脂により一体に形成される。本実施形態では、基部１０は、３０重量％のガラス繊維を含有するポリプロピレンにより形成されている。
【００２７】
軸部２０は、特定方向（図１の左右方向）に沿って直線状に延びるとともに少なくとも先端部が歯間に挿通されることが可能な形状を有する。すなわち、軸部２０は、特定方向に延びる中心軸２０ａを有し、軸部２０の一端（図１の右端）には、挿入先端部が形成されており、軸部２０の他端には、基端部が形成されている。軸部２０は、挿入先端部から基端部に向かうにしたがって次第にその外形が大きくなるテーパー形状を有する。軸部２０の中心軸２０ａの方向（以下、「軸方向」と称する。）と直交する平面での軸部２０の断面（以下、「軸直交断面」と称する。）は、図５に示されるように、本実施形態では円形である。この場合、軸部２０において歯間に挿通される部分の最大径は、歯間に挿通可能なように、３．０ｍｍ以下に設定されるのが好ましく、１．０ｍｍ以下に設定されるのが更に好ましい。
【００２８】
把持部３０は、軸部２０の基端部に連続して設けられ、軸部２０の軸方向に沿って軸部２０の基端部から離間するように延びており、指で把持されることが可能な形状を有する。把持部３０は、扁平な板状に形成されている。具体的に、特定方向（軸方向）と直交する方向である第１方向（図５の上下方向）についての把持部３０の寸法よりも、特定方向及び第１方向の双方に直交する方向である第２方向（図５の左右方向）についての把持部３０の寸法の方が大きい。この把持部３０の第１方向に沿った寸法（図５の上下寸法）は、軸部２０の径よりも大きく設定されている。
【００２９】
清掃部４０は、歯間を清掃するための部位であり、基部１０の硬度よりも低い硬度を有する素材により形成されている。本実施形態では、この素材は、エラストマーと強化材とを含む複合材料からなる。具体的には、このエラストマーとして、本実施形態では、スチレン系エラストマーが用いられているが、シリコン、オレフィン系エラストマー、ポリエステル系エラストマー等が用いられてもよい。また、強化材として、本実施形態では、ガラス繊維が用いられているが、炭素繊維、アラミドなどの合成繊維、セルロースなどの天然繊維、シリカ粒子、カーボンブラック、タルク等が用いられてもよい。両者の配合量は、清掃部４０の剛性向上の観点から、強化材がエラストマーに対して、１重量％以上であるのが好ましく、２重量％以上であるのが更に好ましい。一方、清掃部４０の成形性、弾性の観点から、強化材がエラストマーに対して、５０重量％以下であるのが好ましく、３０重量％以下であるのが更に好ましい。清掃部４０を構成する素材の硬度は、デュロメータ硬さタイプＡ（ＪＩＳＫ６２５３）が、１〜６０であることが好ましく、１０〜４０であることが更に好ましく、本実施形態では、前記デュロメータ硬さタイプＡは３５である。なお、この清掃部４０の素材としては、エラストマーや発泡合成樹脂などの弾性素材を単体で採用することもできる。
【００３０】
具体的には、清掃部４０は、清掃部本体５０と、複数のブラシ部６０と、を有する。
【００３１】
清掃部本体５０は、軸部２０の外周面の少なくとも一部（挿入先端部を含む部位）を被覆する形状を有する。本実施形態では、清掃部本体５０は、中心軸２０ａに沿って、先端側から基端側に向かうにしたがって次第に中心軸２０ａの直交方向外側に拡大するテーパー形状を有する。この清掃部本体５０の傾斜角度は、軸部２０の傾斜角度と略同等となるように設定され、その厚さが均一（略均一を含む）になるように設定されている。
【００３２】
本実施形態では、清掃部本体５０は、その軸直交断面が円形の外形を呈し、厚さが０．２ｍｍで均一に形成されている。
【００３３】
清掃部本体５０は、軸部２０の中心軸２０ａを中心とする螺旋状の溝部５１を有し、この溝部５１より中心軸２０ａを含む軸断面（図３）において、ねじ山状部５２が溝部５１の間に形成されている。本実施形態では、清掃部本体５０は、角ねじのような外形を有し、一方向に細長い矩形状のねじ山状部５２がその高さが略均一に揃えられた状態で等間隔のピッチで配列されている。
【００３４】
具体的には、溝部５１は、清掃部本体５０の先端部から基端部にかけて右巻き螺旋状に形成され、溝部５１の溝底部は、軸部２０の外周面によって構成されている。溝部５１の側壁面５１ａは、図４に明示するように、軸部２０の中心軸２０ａを含む軸断面（図３）において、中心軸２０ａに対して垂直（略垂直を含む）に起立している。
【００３５】
溝部５１のピッチＰは、０．３ｍｍ以上、３．０ｍｍ以下の範囲内で設定されるのが好ましく、０．５ｍｍ以上、１．５ｍｍ以下の範囲内で設定されるのが更に好ましい。本実施形態では、等間隔に設定されたピッチＰが１．０ｍｍに設定されている。溝部５１のピッチＰが小さすぎると、歯垢等の捕捉性が低下し、一方、大きすぎると歯間の清掃性が低下するので、このピッチＰは、前記範囲内において適宜設定するのが好ましい。なお、溝部５１のピッチＰは、本実施形態のような等間隔なピッチに限定されず、清掃部本体５０の先端側から中心軸２０ａに沿って次第に大きくしたり、或いは小さくしたりするなど不等ピッチであっても良い。
【００３６】
溝部５１の深さＤ（ねじ山状部５２の高さ）は、０．０１ｍｍ以上、２．００ｍｍ以下の範囲内で設定されるのが好ましく、０．１０ｍｍ以上、１．００ｍｍ以下の範囲内で設定されるのが更に好ましい。本実施形態では、溝部５１の深さＨは、全長に亘って０．２ｍｍに略一定に設定されている。この溝部５１の深さＤが浅すぎると、歯垢等の捕捉性やねじ込み効果が低下し、一方深すぎるとねじ山状部５２が撓みやすくなって清掃性が低下するので、この深さＤは、前記範囲内において適宜設定するのが好ましい。なお、溝部５１の深さＤは、本実施形態のような全長に亘って略一定に形成されるものに限定されるものではなく、清掃部本体５０の先端側から基端側に向かうにしたがって次第に、あるいは段階的に変化させるものであっても良い。
【００３７】
溝部５１のリード角αは、１５°以上３５°以下の範囲内で設定されるのが好ましく、２０°以上３０°以下の範囲内で設定されるのが更に好ましい。本実施形態では、溝部５１のリード角αは、２７°に設定されている。
【００３８】
溝部５１の開口幅Ｗ（軸方向寸法）は、軸部２０の直径、溝部５１のピッチＰ、リード角αを考慮して適宜設定され、本実施形態では、ねじ山状部５２の幅（軸方向寸法）よりも小さくなるように設定されている。
【００３９】
以上のように構成された溝部５１が清掃部本体５０に形成されることにより、図２に示すように、軸部２０周りに配設された螺旋帯状のねじ山状部５２が形成される。このねじ山状部５２は、上記のように、中心軸２０ａを含む軸断面において、溝部５１の間に形成され、図４に明示するように、溝部５１の側壁面５１ａであるフランク５２ａと、隣り合うフランク５２ａを山の頂において繋ぐ山頂面５２ｂとを有し、本実施形態では、フランク５２ａと山頂面５２ｂとの間が円弧状に面取りされた形状を有する。この山頂面５２ｂは、本実施形態では、中心軸２０ａを含む軸断面において、軸部２０の外周面に沿って配置されている。
【００４０】
一方、各ブラシ部６０は、清掃部本体５０の溝部５１以外の外周面、すなわちねじ山状部５２の山頂面５２ｂに設けられている。具体的には、各ブラシ部６０は、清掃部本体５０の溝部５１に沿って、山頂面５２ｂに螺旋状に一列に配列されている。ブラシ部６０は、それぞれ軸部２０の軸方向と交差する方向について、山頂面５２ｂから外向きに突出する形状を有する。その突出寸法は、清掃部本体５０の先端側に配置されたブラシ部６０から基端側に配置されたブラシ部６０に向かうにしたがって次第に大きくなるように設定されている。本実施形態では、各ブラシ部６０は、軸部２０の軸方向に直交する方向に突出する円錐状に形成され、軸部２０を中心に複数方向（図５では６方向）に放射状に配置されている。なお、本実施形態のブラシ部６０は、清掃部本体５０とともに射出成形により一体に成形されている。
【００４１】
次に、本実施形態の歯間清掃具１の使用方法について、その作用とともに説明する。使用者は、この歯間清掃具１を、基部１０の把持部３０を掴んで軸部２０の先端側から清掃部４０を歯間に挿し入れる。この際、清掃部本体５０は先細り状に形成されているため、歯間への挿入性が向上する。そして、この歯間清掃具１を、軸部２０の軸方向に沿って直線的に往復操作をすることによって、清掃部４０で歯間を清掃する。
【００４２】
具体的には、歯間清掃具１を軸部２０の軸方向に沿った直線往復操作をすることにより、ねじ山状部５２のフランク５２ａ（溝部５１の側壁面５１ａ）において歯間の歯垢や食べ滓などを掻き取るとともに、山頂面５２ｂから突出するブラシ部６０によって歯間の隅々まで歯垢等を掻き落とす。掻き取られ、又は掻き落とされた歯垢等は、直線往復操作によって歯間外に排出され、少なくとも一部が清掃部本体５０の溝部５１に捕捉される。このため、清掃部４０を歯間から抜いた後に歯垢や食べ滓などが口腔内に残ることを抑制することができる。
【００４３】
一方、歯間が比較的狭い場合など、歯間清掃具１の直線往復操作によって引っ掛かりが生じる場合には、清掃部４０を引っ掛かりが生じる位置にまで挿し入れてから、基部１０を右回りに回転操作する。本実施形態の歯間清掃具１では、清掃部本体５０に、軸部２０の延びる方向を中心軸２０ａとする右巻き螺旋状の溝部５１が設けられ、この溝部５１の間にねじ山状部５２が設けられているので、この回転操作に伴い、適度な操作力で清掃部４０を歯間にねじ込むことができる。しかも、この清掃部本体５０は、基部１０の硬度よりも低い硬度を有する複合素材からなるので、清掃部本体５０に過度な推力が作用した場合には、溝部５１間のねじ山状部５２が撓んで空転することになるため、不測の操作力による破損などの不具合を効果的に抑制することができる。加えて、この空転に伴い、ブラシ部６０やねじ山状部５２によって歯垢などを掻き取って、溝部５１に効果的に捕捉させることができ、この螺旋状の溝部５１の搬送作用によって歯間外に排出することができる。更に、当該溝部５１に歯垢などを捕捉することができ、直線往復操作の場合と同様、清掃部４０を歯間から抜いた後に歯垢や食べ滓などが口腔内に残ることを抑制することができる。つまり、本歯間清掃具１では、歯間の清掃性を維持、向上させつつ、適切に操作することができる。
【００４４】
また、この歯間清掃具１では、溝部５１の側壁面５１ａ、言い換えればねじ山状部５２のフランク５２ａは、中心軸２０ａを含む軸断面において、中心軸２０ａに対して垂直に起立しているので、歯間清掃具１を直線往復操作する場合だけでなく、歯間清掃具１を回転操作する場合にも、前記空転に伴う溝部５１の搬送作用による歯垢などの掻き出し効果が向上する。つまり、歯間清掃具１の操作の仕方に拘わらず、歯間の清掃性を向上させることができる。
【００４５】
しかも、溝部５１の溝底部は、軸部２０の外周面によって構成されているので、溝部５１を可及的に深く形成することができ、これにより清掃性だけでなく、溝部５１における歯垢などの捕捉性をも向上させることができる。加えて、ねじ山状部５２と、溝部５１の溝底部とで素材が異なるので、歯間清掃具１の直線往復操作または回転操作に伴い、歯茎に対するマッサージ効果が向上する。
【００４６】
なお、本実施形態の歯間清掃具１は、製造工程において、軸部２０を含む基部１０を１次成形した後に、清掃部４０を射出成形によって軸部２０に２次成形している。この２次成形において、金型が溝部５１の溝底部に沿って当接するため、清掃部４０を構成する複合素材の流入に伴って軸部２０のブレを確実に抑制することができ、清掃部本体５０の肉厚をより一定に形成することができる。
【００４７】
また、清掃部４０は、ねじ山状部５２の山頂面５２ｂから清掃部本体５０の径方向外方に突出する複数のブラシ部６０を有し、このブラシ部６０は、溝部５１に沿って螺旋状に一列に配列されているので、上記したように、歯間清掃具１の直線往復操作または回転操作に伴い、歯間の清掃性を向上させることができる。しかも、溝部５１が螺旋状に形成されていることを外観から一瞥し易くなり、陳列時や使用時等において、溝部５１の搬送作用を直感的に使用者に訴えることができる。
【００４８】
更に、清掃部４０は、エラストマーと強化材とを含む複合材料からなるので、清掃部４０がエラストマーのみからなる場合に比べて剛性が高まり、溝部５１の搬送作用による掻き出し効果を高めることができる。特に、清掃部に複数のブラシ部６０を含むので、各ブラシ部６０の剛性が高まり、歯の側面を有効に清掃することができる。
【００４９】
なお、今回開示された前記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。例えば、本発明の歯間清掃具は以下のように構成しても良い。
【００５０】
（１）前記実施形態では、清掃部本体５０における溝部５１の側壁面５１ａは中心軸２０ａを含む軸断面において垂直に起立しているが、清掃部本体５０の溝部の形状はこれに限定されるものではない。例えば、溝部５１の側壁面５１ａは、中心軸２０ａを含む軸断面において、中心軸２０ａに対して外側に向かうに従って次第に溝部５１側に傾斜するものや、逆に溝部５１側と反対側に傾斜するものであっても良く、ねじ山状部５２において先端側の側壁面（フランク）と基端側の側壁面（フランク）と傾斜角度を変更するものであっても良い。
【００５１】
また、溝部５１の形状変更に伴い、ねじ山状部５２の形状も変更されることになるが、このねじ山状部５２の形状も、角ねじ状のものに限定されるものではなく、例えば、ねじ山状部１５２が、図６に示すように、丸ねじ状に形成されているものであっても良い。この場合、清掃部本体１５０の溝部１５１は側壁面１５１ａが軸断面において曲線によって構成され、ねじ山状部１５２はフランク１５２ａと山頂面１５２ｂとが連続するように形成されている。この他、ねじ山状部の形状が、三角ねじ状、台形ねじ状等、ねじ込み効果を発揮し得る形状であれば、特にその具体的形状を限定するものではない。ただし、本実施形態のように、ねじ山状部５２が角ねじ状に形成されている場合には、溝部５１の側壁面５１ａによって効率的に歯垢等を掻き出すことができ、清掃性を向上させることができる。
【００５２】
（２）前記実施形態では、清掃部本体５０における溝部５１の溝底部は、全長にわたって軸部２０の外周面によって構成されているが、全長またはその一部において底上げすることによって清掃部本体の一部によって構成されているものであっても良い。
【００５３】
例えば、図７は、溝部１５１の一部が断続的に底上げされた他の実施形態の横断面図を示している。
【００５４】
すなわち、清掃部２４０の清掃部本体２５０は、螺旋状の溝部２５１が形成されることにより、ねじ山状部２５２と、溝部２５１内に断続的に配置され、図示はしていないものの、軸断面において隣接するねじ山状部２５２の対向する側壁面同士を中心軸２０ａ方向に沿って接続するスクレイプ突条部２５３とを有する。このスクレイプ突条部２５３は、軸部２０の外周面から軸部２０の径方向外側に突出し、その突出高さがねじ山状部２５２と同等ないしはそれよりも低くなるように設定されている。また、スクレイプ突条部２５３は、軸直交断面において、軸部２０を中心に放射状に設けられ、図７においては、左右方向に突出する一対のスクレイプ突条部２５３が設けられている。
【００５５】
この他の実施形態における歯間清掃具においては、前記実施形態と同様の効果を奏するとともに、回転操作を行った場合には、スクレイプ突条部２５３によって歯側面の歯垢や食べ滓を効率的に掻き取ることができ、清掃性を更に向上させることができるという効果をも奏する。
【００５６】
（３）前記実施形態では、軸部２０は、中実円錐状に構成されているが、基部における軸部の形状はこれに限定されるものではなく、三角錐を含む多角錐状、円柱状、三角柱を含む多角柱状等であってもよく、この軸部２０に中心軸２０ａを中心とする螺旋状の軸溝部を設け、この軸溝部を清掃部本体５０の溝部５１に対応させて連続させることにより、螺旋溝の深さを深く形成するものであっても良い。このように軸部２０に螺旋状の軸溝部を設けることにより、歯間清掃具における螺旋溝が深く形成され、ねじ山状部の撓みに基づく清掃性の低下を防ぎつつ、歯垢等の捕捉性を向上させることができる。
【００５７】
（４）前記実施形態では、清掃部本体５０の溝部５１は、右巻き１条ねじのような螺旋状に形成されているが、左巻き螺旋状であってもよく、また２条ねじのような複数本の螺旋溝を設けるようにしても良い。
【００５８】
（５）前記実施形態では、清掃部本体５０の外形は、先端側から基端側に向けて軸部２０の径方向外側に拡大するテーパー状に形成されているが、清掃部本体の外形を具体的に限定するものではなく、例えば寸胴型、ひょうたん型、鼓型の各外形を呈するものであっても良い。
【００５９】
（６）前記実施形態では、清掃部本体５０の外形は、軸直交断面において、円形に形成されているが、軸直交断面における具体的に形状は、楕円型状、正多角形状などであっても良いが、中心軸２０ａを通る線対称に形成されるのが好ましく、前記実施形態のように円形に形成されるのが更に好ましい。すなわち、歯間清掃具１を回転操作する場合に、軸方向の同一位置において、周方向に均一に清掃力が作用し、安定した清掃性を発揮できるからである。
【符号の説明】
【００６０】
１  歯間清掃具
１０  基部
２０  軸部
２０ａ  中心軸
４０  清掃部
５０  清掃部本体
５１  溝部
５１ａ  側壁面
６０  ブラシ部
【図１】
2019188013.tif 000003
【図２】
2019188013.tif 000004
【図３】
2019188013.tif 000005
【図４】
2019188013.tif 000006
【図５】
2019188013.tif 000007
【図６】
2019188013.tif 000008
【図７】
2019188013.tif 000009